(57)【要約】      （修正有）【課題】装飾効果を有し、主に、蛇口開閉座を回転させる動作により電源を導通させ、蛇口上端できらびやかな装飾を生成する光電蛇口構造を提供する。【解決手段】光電蛇口構造は、主に、蛇口本体Ａと、水源を開放する制御バルブＢからなる。制御バルブＢ上方に、透光水ランプ部１を有する開閉座３を結合し、且つ、内部は、発光素子２４を有するタッチ制御モジュール２を設置し、静電、或いは、振動方式により、微動スイッチを誘発して電源を起動し、発光素子２４を発光させる。これにより、蛇口の制御バルブＢの開閉座３を回転する動作により、微動スイッチがタッチ制御モジュール２に発光素子２４を起動させ、発光素子２４の光線が透光水ランプ部１に伝達し、装飾作用を増加する。【選択図】図１
0003147068.tif 000002
【実用新案登録請求の範囲】
【請求項１】
光電蛇口構造であって、主に、蛇口本体と、水源を開放する制御バルブからなり、前記制御バルブ上に透光水ランプ部、タッチ制御モジュール、及び、開閉座を設置し、
前記透光水ランプ部は、内部に流動する液体を充填する透光立体造型で、前記開閉座の開口端に結合され、
前記タッチ制御モジュールは、電源部、微動スイッチ、中央制御ユニット、及び、発光素子を嵌設する座体で、
前記開閉座は、中空容室を有する座体で、一端開口内に前記タッチ制御モジュールを容置し、且つ、前記制御バルブと互いに組接して、連動し、
これにより、前記透光水ランプ部、前記開閉座に触れ、前記蛇口制御バルブを回転する動作が、静電効果を生成し、前記微動スイッチが前記タッチ制御モジュールに前記発光素子を起動させて、前記発光素子の光線を前記透光水ランプ部に伝達することを特徴とする光電蛇口構造。
【請求項２】
前記透光水ランプ部内に低流動性の液体を充填することを特徴とする請求項１に記載の光電蛇口構造。
【請求項３】
前記透光水ランプ部の流動液体にラメ片を添加してもよいことを特徴とする請求項１に記載の光電蛇口構造。
【請求項４】
前記透光水ランプ部の流動液体にラメ粉を添加してもよいことを特徴とする請求項１に記載の光電蛇口構造。
【請求項５】
前記透光水ランプ部と前記開閉座は、取り外しできる鎖接方式で組み合わせることを特徴とする請求項１に記載の光電蛇口構造。
【請求項６】
前記タッチ制御モジュールは、更に、前記発光素子を制御する中央制御ユニットを有することを特徴とする請求項１に記載の光電蛇口構造。
【請求項７】
前記タッチ制御モジュール中の発光素子は発光ダイオードであることを特徴とする請求項１に記載の光電蛇口構造。
【請求項８】
前記電源部は水銀電池であることを特徴とする請求項１に記載の光電蛇口構造。
【請求項９】
前記発光素子は、前記制御バルブ周辺に環繞設置されることを特徴とする請求項１に記載の光電蛇口構造。
【請求項１０】
前記中央制御ユニットは、間隔的に前記発光素子を起動することを特徴とする請求項６に記載の光電蛇口構造。
【請求項１１】
前記中央制御ユニットは、選択的に前記発光素子を起動することを特徴とする請求項６に記載の光電蛇口構造。
【請求項１２】
前記微動スイッチは、静電方式で感応を受信し、前記電源部を起動することを特徴とする請求項１に記載の光電蛇口構造。
【請求項１３】
前記微動スイッチは、振動方式で感応を受信し、前記電源部を起動することを特徴とする請求項１に記載の光電蛇口構造。
【考案の詳細な説明】
【技術分野】
【０００１】
本考案は光電蛇口構造に関するものであって、特に、装飾効果を有し、主に、蛇口開閉座を回転させる動作により電源を導通させ、蛇口上端できらびやかな装飾を生成する光電蛇口構造に関するものである。
【背景技術】
【０００２】
蛇口は水源の開閉を制御するものであり、一般的な蛇口は主に、出口端と、水管管路を組設する組接端からなり、且つ、蛇口内部に、水源の開閉を制御する制御バルブを設置し、制御バルブは回転素子の制御により給水、鎖水の動作を生成する。
【０００３】
よく見られる蛇口素子は、上述の構造設置であり、外観は、早期の三角ひねり、円形頭状、細長い形状、口ばし状等の回転素子の造型で、回転素子上の区分以外に、外観ラインの美しさを追求したものがあるが、ラインは、現代人の新規性の要求に符合せず、美観以外に、多功能、及び、面白さにより変化を添加したものがない。
【考案の開示】
【考案が解決しようとする課題】
【０００４】
本考案の目的は、光電蛇口構造を提供し、上述の問題を改善することにある。
【課題を解決するための手段】
【０００５】
光電蛇口構造は、主に、蛇口本体と、水源を開放する制御バルブからなる。制御バルブ上方に、透光水ランプ部を有する開閉座を結合し、且つ、内部は、発光素子を有するタッチ制御モジュールを設置し、静電、或いは、振動方式により、微動スイッチを引発して電源を起動し、発光素子を発光させる。これにより、蛇口の制御バルブの開閉座を回転する動作により、微動スイッチがタッチ制御モジュールに発光素子を起動させ、発光素子の光線が透光水ランプ部に伝達する。
【考案の効果】
【０００６】
本考案の光電蛇口構造は、タッチ制御モジュールにより発光素子が発光効果を生成し、透光水ランプ部の流動液体が動的視覚を生成し、蛇口の設計が更に変化に富み、装飾効果を増加する。
【考案を実施するための最良の形態】
【０００７】
図１は本考案の光電蛇口構造の立体分解図で、光電蛇口は、主に、蛇口本体Aと、水源を開放する制御バルブBからなり、制御バルブB上に透光水ランプ部１、タッチ制御モジュール２、及び、開閉座３を設置する。
【０００８】
透光水ランプ部１は、開閉座３の開口端に結合され、透光立体造型で、内部に流動する液体を充填することができ、且つ、流動液体内に、ラメ片やラメ粉を添加してもよい。透光水ランプ部１外観は、使用者が握持する形状である。
【０００９】
図２を参照すると、タッチ制御モジュール２は、電源部２１、微動スイッチ２２、中央制御ユニット２３、及び、発光素子２４を嵌設する座体で、透光水ランプ部１下方に対応して嵌組される。電源部２１は、体積を縮小した水銀電池で、微動スイッチ２２は、主に、タッチセンサーで動作を引発し、静電方式、或いは、振動方式で感応して、電源部２１を導通させ、中央制御ユニット２３は、間隔起動、或いは、選択的起動に設計でき、発光素子２４は発光ダイオードで、且つ、透光水ランプ部１の方向に設置される。
【００１０】
開閉座３は、中空容室３１を有する座体で、一端開口内にタッチ制御モジュール２を容置し、且つ、制御バルブBと互いに組接して、連動する。
【００１１】
これにより、蛇口制御バルブBを回転する動作を利用し、接触動作の静電方式、或いは、振動方式により、微動スイッチ２２を引発して、電源部２１を起動し、発光素子２４が発光し、発光素子２４の光源が透光水ランプ部１に伝達され、装飾作用以外に、照明効果を有する。
【００１２】
図３、及び、図４で示されるように、組み立て時、蛇口本体Aに制御バルブBを装着し、開閉座３は、制御バルブB上に結合され、タッチ制御モジュール２中の電源部２１、微動スイッチ２２、中央制御ユニット２３、及び、発光素子２４が、開閉座３の中空容室３１内に設置され、且つ、発光素子２４が制御バルブB周辺に環繞し、タッチ制御モジュール２上方の透光水ランプ部１は、蛇口本体Aの制御バルブBの上端に設置され、透光水ランプ部１内は低流動性の液体を充填し、発光素子２４は透光水ランプ部１方向に照射する。異なる透光水ランプ部１への交換を容易にするため、透光水ランプ部１と開閉座３は、取り外し可能な鎖接方式で組み合わせる。
【００１３】
本考案の蛇口を水源管路に組み合わせる時、使用者は、透光水ランプ部１と開閉座３を回転させ、微力により、タッチ制御モジュール２の微動スイッチ２２が、静電方式、或いは、振動方式で、感応を受信し、中央制御ユニット２３、及び、発光素子２４を起動し、発光素子２４が透光水ランプ部１を照射し、及び、蛇口を回転させる動作下で、透光水ランプ部の流動液体内のラメ片やラメ粉が浮動浮遊の視覚効果を生成する。この他、発光素子２４の輝度は、所定秒数の間隔的起動に設定し、発光素子２４の光源が透光水ランプ部１を通過して、フリッカーの付加効果を生成する。発光素子２４の輝度効果は所定数秒後停止し、使用者がタッチすると、本考案は、発光素子２４が光源を伝達して、全体が輝く。
【００１４】
本考案の光電蛇口構造の素子組成と使用方法から分かるように、本考案は以下のような長所がある。１．本考案の光電蛇口構造は、タッチ制御モジュールの微動スイッチ設計により、蛇口に触れると、静電方式、或いは、振動方式により感応を受信して、発光素子を発光させ、蛇口を回転させる動作下で、透光水ランプ部の流動液体内のラメ片、ラメ粉が浮動浮遊し、蛇口の設計が更に変化に富み、装飾効果を増加する。また、本考案の光電蛇口構造は、上述の作動と功能により、発光素子が透光水ランプ部に照射する時、照明を生成すると同時に、蛇口の新規視覚と面白さを提供する。
【図面の簡単な説明】
【００１５】
【図１】本考案の立体分解図である。
【図２】本考案のタッチ制御モジュールを示す図である。
【図３】本考案の組み合わせ断面図である。
【図４】本考案の動作図である。
【符号の説明】
【００１６】
蛇口本体A
制御バルブB
透光水ランプ部１
タッチ制御モジュール２
開閉座３
電源部２１
微動スイッチ２２
中央制御ユニット２３
発光素子２４
中空容室３１
【図１】
0003147068.tif 000003
【図２】
0003147068.tif 000004
【図３】
0003147068.tif 000005
【図４】
0003147068.tif 000006